【事件の表示】
　平成　９年特許願第１０８７４６号「オーダーデータ処理装置」拒絶査定不服審判事件〔平成１０年１１月１３日出願公開、特開平１０−３０１９８９〕について、次のとおり審決する。
【結　論】
　本件審判の請求は、成り立たない。
【理　由】
１．手続の経緯
　本願は、平成９年４月２５日の出願であって、平成１６年８月６日付で拒絶査定がなされ、これに対し、同年９月１６日に拒絶査定に対する審判請求がなされるとともに、同年１０月１８日付で手続補正がなされたものである。
　
２．平成１６年１０月１８日付の手続補正についての補正却下の決定
［補正却下の決定の結論］
　　平成１６年１０月１８日付の手続補正を却下する。
［理由］
（１）補正の内容
　平成１６年１０月１８日付の手続補正（以下「本件補正」という。）により、請求項１は、
「オーダーメニューを含むオーダーデータを入力可能なデータ入力手段と入力された各オーダーデータを管理可能なオーダー管理手段と管理中のオーダーデータについて会計処理可能な会計手段とを有するオーダーデータ処理装置において、前記オーダーデータ入力手段は係員用オーダーデータ入力手段と調理人用オーダーデータ入力手段とを有し、前記係員用オーダーデータ入力手段は、そのオーダーデータ入力手段から選択されたメニューを表示する表示器と、前記オーダーデータ入力手段から選択されたすべてのメニューを前記表示器に表示する表示手段と、前記表示器に表示されたメニューのうち選択されたメニューの調理指示をする調理指示手段と、この調理指示手段によって調理指示されたメニューを前記オーダー管理手段に送信する手段と、前記オーダー管理手段から送信された配膳指示されたメニューについて配膳指示の旨を前記表示器に表示する配膳指示表示手段と、配膳指示がされているメニューについて配膳完了を入力する配膳完了入力手段と、この配膳完了入力手段によって入力された配膳完了を前記オーダー管理手段に送信する手段と、配膳完了が入力されたメニューについて配膳完了の旨を前記表示器に表示されたすべてのメニューのうちの当該メニューに対応させて表示する配膳完了表示手段とを備え、前記調理人用オーダーデータ入力手段は、調理済の各メニューごとに配膳指示を入力する配膳指示入力手段と、この配膳指示入力手段によって入力された配膳指示を前記オーダー管理手段に送信する配膳指示送信手段とを備え、前記オーダー管理手段は、前記調理人用オーダーデータ入力手段から送信された配膳指示を前記係員用オーダーデータ入力手段に送信する配膳指示転送手段を備えたオーダーデータ処理装置。」
と補正された。
　
（２）補正の目的
　請求項１に係る本件補正は、補正前の請求項１の記載に「前記オーダーデータ入力手段から選択されたすべてのメニューを前記表示器に表示する表示手段と」の記載を追加する補正事項を含むものである。
　補正後の請求項１に記載された「前記オーダーデータ入力手段から選択されたすべてのメニューを前記表示器に表示する表示手段」は、補正前の請求項１に記載された「そのオーダーデータ入力手段から選択されたメニューを表示する表示器表示器」、「この表示器に表示されたメニューのうち選択されたメニューの調理指示をする調理指示手段」、「この調理指示手段によって調理指示されたメニューを前記オーダー管理手段に送信する手段」、「前記オーダー管理手段から送信された配膳指示されたメニューについて配膳指示の旨を前記表示器に表示する配膳指示表示手段」、「配膳指示がされているメニューについて配膳完了を入力する配膳完了入力手段」、「この配膳完了入力手段によって入力された配膳完了を前記オーダー管理手段に送信する手段」、「配膳完了が入力されたメニューについて配膳完了の旨を前記表示器に表示する配膳完了表示手段」等の手段の下位概念とは認められず、それらの手段と同位の概念であるので、当該補正事項は、補正前の請求項１に記載された「係員用オーダーデータ入力手段」に新たに「表示手段」を追加するものであり、補正前の請求項１に記載された発明特定事項を限定的に減縮するものとは認められず、特許法第１７条の２第４項第２号に掲げられた「特許請求の範囲の減縮（ 第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）」を目的とするものに該当するとは認められない。
　また、当該補正事項は、特許法第１７条の２第４項第１号に掲げられた「第三十六条第五項に規定する請求項の削除」、同第３号に掲げられた「誤記の訂正」、及び同第４号に掲げられた「明りようでない記載の釈明（拒絶理由通知に係る拒絶の理由に示す事項についてするものに限る。）」のいずれかを目的とするものに該当しないのは明らかである。
　したがって、当該補正事項は特許法第１７条の２第４項の規定を満たしていないので、当該補正事項を含む本件補正は、特許法第１７条の２第４項の規定に違反してなされたものである。
　
（３）むすび
　以上のとおり、本件補正は、特許法第１７条の２第４項の規定に違反するものであり、特許法第１５９条第１項で準用する特許法第５３条第１項の規定により却下されるべきものである。
　
３．本願発明
　平成１６年１０月１８日付の手続補正は上記のとおり却下されたので、本願の請求項１に係る発明（以下「本願発明」という。）は、平成１５年１０月２７日付の手続補正書の特許請求の範囲の請求項１に記載された事項により特定される、以下のとおりのものである。
「オーダーメニューを含むオーダーデータを入力可能なデータ入力手段と入力された各オーダーデータを管理可能なオーダー管理手段と管理中のオーダーデータについて会計処理可能な会計手段とを有するオーダーデータ処理装置において、前記オーダーデータ入力手段は係員用オーダーデータ入力手段と調理人用オーダーデータ入力手段とを有し、前記係員用オーダーデータ入力手段は、そのオーダーデータ入力手段から選択されたメニューを表示する表示器と、この表示器に表示されたメニューのうち選択されたメニューの調理指示をする調理指示手段と、この調理指示手段によって調理指示されたメニューを前記オーダー管理手段に送信する手段と、前記オーダー管理手段から送信された配膳指示されたメニューについて配膳指示の旨を前記表示器に表示する配膳指示表示手段と、配膳指示がされているメニューについて配膳完了を入力する配膳完了入力手段と、この配膳完了入力手段によって入力された配膳完了を前記オーダー管理手段に送信する手段と、配膳完了が入力されたメニューについて配膳完了の旨を前記表示器に表示する配膳完了表示手段とを備え、前記調理人用オーダーデータ入力手段は、調理済の各メニューごとに配膳指示を入力する配膳指示入力手段と、この配膳指示入力手段によって入力された配膳指示を前記オーダー管理手段に送信する配膳指示送信手段とを備え、前記オーダー管理手段は、前記調理人用オーダーデータ入力手段から送信された配膳指示を前記係員用オーダーデータ入力手段に送信する配膳指示転送手段を備えたオーダーデータ処理装置。」
　
４．引用例
（１）引用例１
　原査定の拒絶の理由として引用された特開平８−１５３２８２号公報（以下「引用例１」という。）には、図面とともに、以下の事項が記載されている。
（ａ）「【００３５】上記の情報管理装置は、図１に示すように、店舗内システムを構築する店舗内情報管理装置（以下、管理装置と称する）１と、複数の店舗の管理装置１…の情報を管理・統合する本体装置２とで構成されている。管理装置１は、各店舗に設置されており、情報処理装置（以下、システム装置と称する）３と、各種端末装置４・５…・６…・７…とで構成されている。」（第４頁右欄第３９行−同頁同欄第４５行）
　
（ｂ）「【００３７】システム装置３は、ＣＰＵ１１、外部記憶装置１２、記憶装置１３、プリンタ１４、タイマ１５、表示装置１６、レジスター（ドロア）１７、キーボード１８、入力装置１９、インターフェイス２０〜２３、およびモデム２４を備えている。ＣＰＵ１１や外部記憶装置１２、記憶装置１３、プリンタ１４、タイマ１５、表示装置１６、キーボード１８は、店舗内の所定位置、例えば店長室等に設置されている。
【００３８】ＣＰＵ（制御手段、切替手段）１１は、各種コントローラを備えることによりコントロール機能を有しており、管理装置１全体を制御するための各種演算処理を行うと共に、記憶装置１３等に記憶されている各種情報の集計および分類等を行う。また、ＣＰＵ１１は、各種コントローラやインターフェイス２０〜２３、モデム２４等を介して、無線回線で、各種端末装置４・５…・６…・７…、表示装置１６、情報処理装置２ａ等から各種情報を必要に応じて受信すると共に、これら装置４・５…・６…・７…・１６・２ａ等に、各種情報や制御信号等を必要に応じて送信する。さらに、ＣＰＵ１１は、上記装置４・５…・６…・７…・１６間の情報の送受信（通信）を中継するようになっている。また、ＣＰＵ１１は、記憶装置１３等に記憶されている各種情報のうち、例えば、調理や配膳が済んだり、或いは客に対する精算処理が終了する等して不要となった情報を必要に応じて消去（削除）するようになっている。」（第５頁左欄第６行−同頁同欄第３０行）
　
（ｃ）「【００５９】携帯用端末装置（オーダー情報入力手段、表示手段）５…は、タイマ等からなる計時装置（計時手段）を備えており、各接客店員に携帯され、無線回線によりインターフェイス２１を介してＣＰＵ１１との間で情報の送受信を適宜行う。携帯用端末装置５は、タッチパネルによって入力されたオーダー情報、つまり料理の種類等を記憶装置に記憶し、表示画面に表示すると共に、該オーダー情報をシステム装置３に送信する。該オーダー情報は、客のオーダーに関する情報であり、具体的には、オーダーを受けた接客店員を示すＩＤ番号、テーブル番号、座席番号、人数、このオーダー情報を送信する携帯用端末装置５の装置番号、オーダーを受けた時刻、オーダーを受けた料理の料理番号等を含む。また、上記のオーダー情報は、システム装置３を介して情報処理端末装置４および厨房内端末装置６…にも送信される。さらに、携帯用端末装置５は、オーダー情報が入力されることにより、空席が占められたことを示す座席情報を発生して、記憶装置に記憶すると共に、システム装置３に送信する。そして、システム装置３のタイマ１５は、該座席情報を受信すると、客が座席に着いてオーダーがなされたことを示すスタンプ（カウント・アップ）を行う。
【００６０】尚、携帯用端末装置５の表示画面に表示されている各種情報のうち、例えば、調理や配膳が済んだり、或いは客に対する精算処理が終了する等して不要となった情報は、タッチパネルによって信号が入力されることにより記憶装置から消去される。また、携帯用端末装置５の個数は、特に限定されるものではなく、例えば、接客店員の人数等に応じて適宜増減される。
【００６１】また、携帯用端末装置５は、プリンタを内蔵しており、客がオーダーした料理の種類を、その個数や料金、伝票番号等と共に伝票情報としてプリントアウトする。即ち、プリントアウトされた用紙は、請求書（勘定書）となっている。尚、請求書は、食事が済んだ後、客若しくは接客店員によりレジスター１７に運搬される。」（第７頁右欄第２７行−第８頁左欄第１２行）
　
（ｄ）「【００６３】そして、厨房内端末装置６は、タッチパネルによって調理が済んだことを示す調理済情報が入力されるようになっている。つまり、調理人は、表示画面に表示されたオーダー情報に基づいて調理し、料理が出来上がると、料理を配膳台に載置すると共に、タッチパネルによって調理が済んだことを示す調理済情報を入力するようになっている。入力された上記調理済情報は、記憶装置に記憶され、システム装置３に送信されると共に、システム装置３を介して厨房外端末装置７…、および該当する携帯用端末装置５にも送信される。
【００６４】尚、上記の調理済情報には、料理の状況（例えば調理中等）に関する情報も含まれる。また、厨房内端末装置６の表示画面に表示されている各種情報のうち、例えば、調理や配膳が済む等して不要となった情報は、タッチパネルによって信号が入力されることにより記憶装置から消去される。厨房内端末装置６の個数は、特に限定されるものではなく、例えば、調理人の人数や、厨房の広さ等に応じて適宜増減される。
【００６５】上記の表示内容により、調理人は、オーダー情報、即ち、オーダーされた料理の種類や個数、オーダー順等を一目で確認することができる。このため、同じ料理を一度に作り上げる等、調理を効率的に行うことができる。また、調理人は、タッチパネルによって調理済情報を入力するだけで、料理が出来上がったことを接客店員に簡単に知らせることができる。
【００６６】厨房外端末装置（料理情報入力手段、表示手段）７…は、厨房外における見易くかつ取り扱い易い位置、例えば配膳台の近傍に設置され、無線回線によりインターフェイス２３を介してＣＰＵ１１との間で情報の送受信を適宜行う。厨房外端末装置７は、システム装置３を介して送信されてきた調理済情報を受信して記憶装置に記憶し、料理の配膳が可能となったことを表示画面に表示すると共に、接客店員に対して各種指示や店舗内の状況等の各種情報等を表示する。つまり、図５に示すように、表示画面には、所定のデータファイルフォーマットに従って、調理した調理人を示すＩＤ番号欄７ｋ、オーダーを受けた接客店員を示すＩＤ番号欄７ａ、テーブル番号および座席番号を示すテーブル番号欄７ｂ、料理が出来上がった時刻を示す時刻欄７ｃ、料理番号欄７ｄおよび料理名欄７ｅからなるオーダー欄７ｆ、個数を示す個数欄７ｇ、該料理がそのテーブルで何番目にオーダーされたかを示すオーダー番号欄７ｈ、上記各欄７ａ〜７ｈ・７ｋの表示内容をスクロールするスクロール・キー７ｉ・７ｊが上記厨房内端末装置６の表示画面と同様に表示される。また、表示画面上において、全オーダー情報は料理の出来上がり順に一覧表として一括表示されると共に、或るオーダーに関するオーダー情報は一行で表示される。尚、厨房外端末装置７の表示画面に表示される上記調理済情報は、該当する携帯用端末装置５の表示画面にも表示される。」（第８頁左欄第３５行−同頁右欄第３４行）
　
（ｅ）「【００７５】次に、予約客が来店すると、接客店員は、情報処理端末装置４の表示画面に表示されている状況欄４ｃ…（図６）を確認し、緑の点滅で表示されているテーブルに客を案内する。尚、客が予約無しで来店した場合には、接客店員は、情報処理端末装置４の表示画面に表示されている状況欄４ｃ…を確認し、白で表示されているテーブルに客を案内すると共に、該テーブルの仮押さえを行う。
【００７６】客が着席し、接客店員がオーダーを受けると、図１０に示すように、該接客店員によって携帯用端末装置５にオーダー情報が入力され（Ｓ１）、該携帯用端末装置５は上記のオーダー情報を記憶装置に記憶する。携帯用端末装置５の計時装置は、オーダーを受けた時刻を情報として発生すると共に、客が座席に着いてオーダーがなされたことを示すスタンプ（カウント・アップ）を行う（Ｓ２）。また、携帯用端末装置５は、記憶装置からオーダーを受けた接客店員を示すＩＤ番号やオーダー番号等の情報を読み出す（Ｓ３）。そして、携帯用端末装置５は、インターフェイス２１を介して、上記のオーダー情報やＩＤ番号等の各種情報をシステム装置３のＣＰＵ１１に送信する（Ｓ４）。ＣＰＵ１１は、該各種情報を受信し、各種演算処理を行った後、その結果を記憶装置１３に記憶する（Ｓ５）。
【００７７】次に、ＣＰＵ１１は、記憶装置１３に記憶された各種情報をインターフェイス２０・２２を介して、情報処理端末装置４、および該当する厨房内端末装置６…に送信する（Ｓ６）。情報処理端末装置４および厨房内端末装置６…は、受信した各種情報を記憶装置に記憶すると共に、座席情報やオーダー情報等の各種情報を表示画面に表示する（Ｓ７）。
【００７８】その後、調理が済んで所望の料理が出来上がると、図１１に示すように、調理人によって厨房内端末装置６に調理済情報が入力され（Ｓ１１）、該厨房内端末装置６は上記の調理済情報を記憶装置に記憶する。また、厨房内端末装置６は、記憶装置から調理人を示すＩＤ番号等の情報を読み出し、インターフェイス２２を介して、上記の調理済情報やＩＤ番号等の各種情報をＣＰＵ１１に送信する（Ｓ１２）。ＣＰＵ１１は、受信した各種情報に基づいて、該当する情報を記憶装置１３から読み出し、該情報に対して例えば経過欄３８ｈ（図８）の表示を「３」に切り替える等の各種演算処理を行った（Ｓ１３）後、この情報を記憶装置１３に再度記憶すると共に、表示装置１６、情報処理端末装置４、厨房外端末装置７…、該当する携帯用端末装置５等に送信する（Ｓ１４）。
【００７９】情報処理端末装置４、携帯用端末装置５、および厨房外端末装置７…では、該各種情報を受信し、この情報を記憶装置に記憶すると共に、表示画面に表示する（Ｓ１５）。また、各種端末装置４・５・７…における上記動作が終了すると、ＣＰＵ１１は、厨房内端末装置６に情報を送信し、該厨房内端末装置６においては、受信した各種情報に基づいて、該当する情報を記憶装置から消去する（Ｓ１６）。
【００８０】次いで、携帯用端末装置５または厨房外端末装置７…に表示された上記各種情報が接客店員によって確認され、オーダーを受けたテーブルに料理が配膳されると、図１２に示すように、該接客店員によって携帯用端末装置５（或いは厨房外端末装置７）に配膳済情報が入力され（Ｓ２１）、該携帯用端末装置５は上記の配膳済情報を記憶装置に記憶する。また、携帯用端末装置５は、記憶装置から接客店員を示すＩＤ番号等の情報を読み出し、インターフェイス２１を介して、上記の配膳済情報やＩＤ番号等の各種情報をＣＰＵ１１に送信する（Ｓ２２）。ＣＰＵ１１は、受信した各種情報に基づいて、該当する情報を記憶装置１３から読み出し、該情報に対して例えば経過欄３８ｈの表示を「４」に切り替える等の各種演算処理を行った（Ｓ２３）後、この情報を記憶装置１３に再度記憶すると共に、表示装置１６、情報処理端末装置４、厨房外端末装置７…、該当する携帯用端末装置５等に送信する（Ｓ２４）。」（第９頁右欄第１１行−第１０頁左欄第３０行）
　
（ｆ）「【００８８】本実施例にかかる情報管理装置は、以上のように、予約に関する情報が入力される情報処理装置２ａと、座席３１ａ…に関する情報が入力される情報処理端末装置４と、客のオーダーに関する情報が入力される携帯用端末装置５…と、オーダーに従って調理される料理に関する情報が入力される厨房内端末装置６…および厨房外端末装置７…と、上記各装置４・５…・６…・７…・２ａ等と通信可能であり、かつ、これら装置４・５…・６…・７…・２ａ等に入力された情報に対して各種演算処理を行い、その演算結果に基づいて上記各種端末装置４・５…・６…・７…等を制御するＣＰＵ１１と、上記各種端末装置４・５…・６…・７…等に一体的に設けられ、上記各種情報を表示する複数の表示装置（表示装置１６および各種端末装置４・５…・６…・７…の表示装置）とを備えている構成である。
【００８９】このため、上記複数の表示装置には、客が来店してから食事が済んで精算が終了するまでの各種情報をリアルタイムで表示することができる。これにより、いわゆる空席管理、オーダー管理、予約管理等の各種管理、および、例えば各店舗の売上げや稼働効率等の集計等をリアルタイムで一括して迅速かつ正確に行うことができる情報管理装置を提供することができる。」（第１１頁左欄第３行−同頁同欄第２４行）
　
　また、上記摘記事項（ｅ）及び（ｆ）からみて、「携帯用端末装置（５）」は表示装置を備え、その表示装置に各種情報を表示しており、配膳済情報に基づいて処理された配膳済を表す経過欄の「４」を表示すると認められるので、引用例１に記載された事項において、配膳済の旨を「携帯用端末装置（５）」の表示装置に表示することは明らかである。
　してみると、引用例１には、
『料理の種類を含むオーダー情報を入力可能な「携帯用端末装置（５）」及び「厨房内端末装置（６）」と、オーダー情報を管理可能な「レジスター（１７）を除くシステム装置（３）」と、オーダー情報について会計可能な「レジスター（１７）」とを有する情報管理装置において、
　前記「携帯用端末装置（５）」は、「携帯用端末装置（５）」により選択された料理名を表示する表示装置と、選択された料理についてのオーダー情報を入力するタッチパネルと、タッチパネルにより入力されたこの選択された料理のオーダー情報を「レジスター（１７）を除くシステム装置（３）」に送信する手段と、前記「レジスター（１７）を除くシステム装置（３）」から送信された調理済情報を受信して表示装置に表示する手段と、調理済の料理について配膳済を入力する手段と、この手段によって入力された配膳済情報を「レジスター（１７）を除くシステム装置（３）」に送信する手段と、配膳済情報が入力された料理について配膳済の旨を表す経過欄の「４」を表示装置に表示する手段とを備え、
　前記「厨房内端末装置（６）」は、各料理ごとに配膳を指示する調理済情報を入力するタッチパネルと、このタッチパネルにより入力された調理済情報を前記「レジスター（１７）を除くシステム装置（３）」に送信する手段とを備え、
　前記「レジスター（１７）を除くシステム装置（３）」は、前記「厨房内端末装置（６）」から送信された調理済情報を前記「携帯用端末装置（５）」に送信する「インターフェイス（２１）」を備えた情報管理装置。』
との発明（以下「引用例１発明」という。）が記載されている。
　
（２）引用例２
　原査定で周知技術の一例として引用された特開平３−１１０６６９号公報（以下「引用例２」という。）には、図面とともに以下の事項が記載されている。
（ｇ）「第２図は携帯用無線式入力端末機を図に示したものである。（７）は本体、（８）は電源の入力やメニューの入力時に使用する電源キー、（９）は大型の液晶ディスプレイで上部にシートキーが配され、（１０）はメニューの出来上り時に音でそれを伝えるアラームである。第３図は、注文メニューの入力時の具体例である。（１１）はオーダのテーブルナンバーを表示する領域、（１２）は人数を表示する領域、（１３）は注文メニューの名称、数量を表示する領域（１４−１〜３）はマルチウィンドウ方式によるメニューの表示領域で、（１４−１）は大分類で例ではランチを選択していることを示しており、（１４−２）は小分類で例ではカレーを選択していることを示しており、（１４−３）はメニューで例ではインドカレーを選択していることを示している。この例は注文メニュー人力の一例であって、大型液晶ディスプレイとシートキーとの組み合せによりフレキシブルな表示、入力が行えることを示している。
　次に、第１図、第２図、第３図を参照してこの発明の実施例の具体的な動作について説明する。
　まずウエイターはお客の注文を携帯用端末（２）にテーブルナンバー、人数、メニュー、数量等を入力する。このとき、携帯用端末（２）では、コントローラ（６）から事前に送信されている品切メニューについてチエツクを行い、第４図（ａ）に示すような品切れ表示を行う。全ての注文をとり終えた後送受信機（３）に注文情報を送信する。これを受信した受信機（３）はコントローラ（６）に対して送信する。コントローラ（６）ではこの情報を蓄積し調理中ディスプレイ（４）へ送信する。厨房の調理人はこれを見て調理にとりかかるが、この時調理開始入力を行う。」（第２頁右上欄第３行−同頁左下欄第１３行）
　
　してみると、引用例２には、
「携帯用無線式入力端末機から選択されたカレーのメニューを大型液晶ディスプレイに表示し、大型液晶ディスプレイに表示されたカレーのメニューからインドカレーを選択して、インドカレーの注文情報を送信する」
との事項が記載されている。
　
５．対比
　本願発明と引用例１発明とを比較すると、引用例１発明の「料理の種類」、「オーダー情報」、「携帯用端末装置（５）」、「表示装置」、「厨房内端末装置（６）」、「レジスター（１７）を除くシステム装置（３）」、「レジスター（１７）」、「情報管理装置」、「配膳済情報」は、本願発明の「オーダーメニュー」、「オーダーデータ」、「係員用オーダーデータ入力手段」、「表示器」、「調理人用オーダーデータ入力手段」、「会計手段」、「オーダーデータ処理装置」、「配膳完了」に相当する。
　また、引用例１発明において、「携帯用端末装置（５）」のタッチパネルにより調理すべき料理のオーダー情報が設定されるので、引用例１発明の「携帯用端末装置（５）」の「タッチパネル」が、本願発明の「調理指示手段」に相当する。
　また、引用例１発明において、調理済の料理は配膳されるので、引用例１発明の「調理済情報」は、本願発明の「配膳指示」に相当し、引用例１発明の「調理済情報を入力された料理」は、本願発明の「配膳指示されたメニュー」又は「配膳指示されるメニュー」に相当する。
　これらの点を考慮すると、本願発明と引用例１発明は、
「オーダーメニューを含むオーダーデータを入力可能なデータ入力手段と入力された各オーダーデータを管理可能なオーダー管理手段と管理中のオーダーデータについて会計処理可能な会計手段とを有するオーダーデータ処理装置において、
前記オーダーデータ入力手段は係員用オーダーデータ入力手段と調理人用オーダーデータ入力手段とを有し、
前記係員用オーダーデータ入力手段は、そのオーダーデータ入力手段から選択されたメニューを表示する表示器と、この選択されたメニューの調理指示をする調理指示手段と、この調理指示手段によって調理指示されたメニューを前記オーダー管理手段に送信する手段と、前記オーダー管理手段から送信された配膳指示されたメニューについて配膳指示の旨を前記表示器に表示する配膳指示表示手段と、配膳指示がされているメニューについて配膳完了を入力する配膳完了入力手段と、この配膳完了入力手段によって入力された配膳完了を前記オーダー管理手段に送信する手段と、配膳完了が入力されたメニューについて配膳完了の旨を前記表示器に表示する配膳完了表示手段とを備え、
前記調理人用オーダーデータ入力手段は、調理済の各メニューごとに配膳指示を入力する配膳指示入力手段と、この配膳指示入力手段によって入力された配膳指示を前記オーダー管理手段に送信する配膳指示送信手段とを備え、
前記オーダー管理手段は、前記調理人用オーダーデータ入力手段から送信された配膳指示を前記係員用オーダーデータ入力手段に送信する配膳指示転送手段を備えたオーダーデータ処理装置。」
との点で一致し、以下の点で相違する。
（相違点１）
　本願発明では、オーダー入力手段から選択されたメニューを表示器に表示し、前記表示器に表示されたメニューのうち選択されたメニューの調理指示をするのに対して、引用例１発明では、選択されたメニューの調理指示を行なうものの、そのようなことは行なっていない点。
　
６．判断
（相違点１について）
　引用例２には、携帯用無線式入力端末機から選択されたカレーのメニューを大型液晶ディスプレイに表示し、大型液晶ディスプレイに表示されたカレーのメニューからインドカレーを選択して、インドカレーの注文情報を送信することが記載されており、引用例２に記載された事項の「携帯用無線式入力端末機」、「選択されたカレーのメニュー」、「インドカレー」、「大型液晶ディスプレイ」は、本願発明の「係員用オーダーデータ入力手段」、「選択されたメニュー」、「表示されたメニューのうち選択されたメニュー」、「表示器」に対応するので、引用例１発明において、オーダー入力手段から選択されたメニューを表示器に表示し、前記表示器に表示されたメニューのうち選択されたメニューの調理指示をすることは当業者が容易に考えられる事項である。
　したがって、相違点１に係る本願発明の構成は、引用例１発明及び引用例２に記載された事項に基づいて当業者が容易に想到しえたものである。
　
　そして、本願発明の作用効果も、引用例１及び引用例２から当業者が予測できる範囲のものである。
　したがって、本願発明は、引用例１発明及び引用例２に記載された事項に基づいて、当業者が容易に発明をすることができたものである。
　
５．むすび
　以上のとおり、本願発明は、引用例１に記載された発明及び引用例２に記載された事項に基づいて、当業者が容易に発明をすることができたものであるから、特許法第２９条第２項の規定により特許を受けることができない。
　よって、結論のとおり審決する。